(57)【要約】【課題】  本発明は、ＬＣＤパネルの周囲温度が低温になり、ＬＣＤパネルへの表示データの転送タイミングを遅らせた場合にも、スクロール速度を低下させることなく、情報を適切なタイミングで提供することができる液晶表示装置および液晶表示方法を提供することを課題とする。【解決手段】  インターバル制御部５は、温度判定部４から入力されたインターバル毎にタイミング信号をデータ送信部７に出力し、スクロールドット数制御部６は、温度判定部４から入力されたスクロールドット数をシフト数としてデータ送信部７に出力する。データ送信部７は、スクロールドット数制御部６から入力されたシフト数分、表示開始位置をシフトさせながら表示用メモリに展開されている表示データを読み出し、インターバル制御部５から入力されるタイミング信号をＬＣＤパネル１への表示データの転送タイミングとして読み出した表示データを表示ドライバ８に転送する。【選択図】        図１
2006047472.tif 000002
【特許請求の範囲】
【請求項１】
ＬＣＤパネルを駆動する表示ドライバにスクロールドット数ずつシフトさせた表示データを順次転送することによってスクロール表示を行う液晶表示装置であって、
温度を検出する温度検出手段と、
該温度検出手段によって検出された温度に基づいて、前記表示ドライバへの前記表示データの転送のインターバルを変更するインターバル変更手段と、
前記温度検出手段によって検出された温度に基づいて、前記スクロールドット数を変更するスクロールドット数変更手段と、
を具備することを特徴とする液晶表示装置。
【請求項２】
前記スクロールドット数変更手段は、前記スクロールドット数を前記ＬＣＤパネルにおけるスクロール方向の１文字分のドット数の約数の内のいずれに変更させることを特徴とする請求項１記載の液晶表示装置。
【請求項３】
前記インターバル変更手段と前記スクロールドット数変更手段とは、前記インターバルと前記スクロールドット数とを、同じタイミングで且つ同じ倍率でそれぞれ変更させることを特徴とする請求項１又は２記載の液晶表示装置。
【請求項４】
ＬＣＤパネルを駆動する表示ドライバにスクロールドット数ずつシフトさせた表示データを順次転送することによってスクロール表示を行う液晶表示方法であって、
温度を検出し、
該検出した温度に基づいて、前記表示ドライバへの前記表示データの転送のインターバルを変更すると共に、前記スクロールドット数を変更することを特徴とする液晶表示方法。
【請求項５】
前記スクロールドット数を前記ＬＣＤパネルにおけるスクロール方向の１文字分のドット数の約数の内のいずれに変更することを特徴とする請求項４記載の液晶表示方法。
【請求項６】
前記インターバルと前記スクロールドット数とを、同じタイミングで且つ同じ倍率でそれぞれ変更することを特徴とする請求項４又は５記載の液晶表示方法。
【発明の詳細な説明】
【技術分野】
【０００１】
本発明は、ポータブルＭＤやポータブルＣＤ等のポータブル機器のリモコン装置に使用される液晶表示装置に関し、特に文字をスクロールさせて各種情報を表示する液晶表示装置に関する。
【背景技術】
【０００２】
ポータブルＭＤやポータブルＣＤ等のポータブル機器に使用されるリモコン装置には、動作の状況表示や操作の案内表示のために液晶表示装置が設けられているものが多く、近年では、液晶表示装置によっては漢字表示が行われるようになってきている。漢字表示を行う液晶表示装置においては、漢字一文字を表現するドット数が多いことからコントラストを高める必要があり、単純マトリクス方式のＳＴＮ液晶や液晶パネルと偏光板の間に色補正を行うための補償フィルムを置いたＦＳＴＮ液晶が採用されている。
【０００３】
ＳＴＮ液晶やＦＳＴＮ液晶は、コントラストを高めてメリハリのある表示を実現することができるが、反面、反応速度が遅く、文字をスクロール表示する場合には、文字がにじんで認識しづらくなってしまうことがあり、特にこの現象は、低温になると顕著になってくる。
【０００４】
そこで、ＬＣＤパネルの周囲温度を計測し、当該計測結果に応じてＬＣＤパネルへの表示データの転送タイミングを変化、すなわち摂氏０度未満である場合には、通常の転送タイミングの１秒経過後に表示データを転送させることによって、周囲温度に拘わらず、表示データに基づく情報表示を確実に行うことができる液晶表示装置が提案されている（例えば、特許文献１参照）。
【０００５】
しかしながら、従来技術では、ＬＣＤパネルの周囲温度が低温になり、ＬＣＤパネルへの表示データの転送タイミングを遅らせた場合には、スクロール速度が低下してしまい、情報を適切なタイミングで提供することができなくなってしまうという問題点があった。
【特許文献１】特開平９−２１１４２７号公報
【発明の開示】
【発明が解決しようとする課題】
【０００６】
本発明は斯かる問題点に鑑みてなされたものであり、その目的とするところは、ＬＣＤパネルの周囲温度が低温になり、ＬＣＤパネルへの表示データの転送タイミングを遅らせた場合にも、スクロール速度を低下させることなく、情報を適切なスピードで提供することができる液晶表示装置および液晶表示方法を提供する点にある。
【課題を解決するための手段】
【０００７】
本発明は上記課題を解決すべく、以下に掲げる構成とした。
本発明の液晶表示装置は、ＬＣＤパネルを駆動する表示ドライバにスクロールドット数ずつシフトさせた表示データを順次転送することによってスクロール表示を行う液晶表示装置であって、温度を検出する温度検出手段と、該温度検出手段によって検出された温度に基づいて、前記表示ドライバへの前記表示データの転送のインターバルを変更するインターバル変更手段と、前記温度検出手段によって検出された温度に基づいて、前記スクロールドット数を変更するスクロールドット数変更手段と、を具備することを特徴とする。
【０００８】
さらに、本発明の液晶表示装置は、前記スクロールドット数変更手段は、前記スクロールドット数を前記ＬＣＤパネルにおけるスクロール方向の１文字分のドット数の約数の内のいずれに変更させることを特徴とする。
【０００９】
さらに、本発明の液晶表示装置は、前記インターバル変更手段と前記スクロールドット数変更手段とは、前記インターバルと前記スクロールドット数とを、同じタイミングで且つ同じ倍率でそれぞれ変更させることを特徴とする。
【００１０】
さらに、本発明の液晶表示方法は、ＬＣＤパネルを駆動する表示ドライバにスクロールドット数ずつシフトさせた表示データを順次転送することによってスクロール表示を行う液晶表示方法であって、温度を検出し、該検出した温度に基づいて、前記表示ドライバへの前記表示データの転送のインターバルを変更すると共に、前記スクロールドット数を変更することを特徴とする。
【００１１】
さらに、本発明の液晶表示方法は、前記スクロールドット数を前記ＬＣＤパネルにおけるスクロール方向の１文字分のドット数の約数の内のいずれに変更することを特徴とする。
【００１２】
さらに、本発明の液晶表示方法は、前記インターバルと前記スクロールドット数とを、同じタイミングで且つ同じ倍率でそれぞれ変更することを特徴とする。
【発明の効果】
【００１３】
本発明の液晶表示装置および液晶表示方法は、検出された温度に基づいて、表示ドライバへの表示データの転送のインターバルとスクロールドット数を変更するように構成することにより、ＬＣＤパネルの周囲温度が低温になり、ＬＣＤパネルへの表示データの転送タイミングを遅らせた場合にも、スクロール速度を平準化することができ、情報を適切なスピードで提供することができるという効果を奏する。
【００１４】
さらに、本発明の液晶表示装置および液晶表示方法は、検出された温度に基づいて、表示ドライバへの表示データの転送のインターバルとスクロールドット数とを、同じタイミングで且つ同じ倍率でそれぞれ変更するように構成することにより、ＬＣＤパネルの周囲温度が低温になり、ＬＣＤパネルへの表示データの転送タイミングを遅らせた場合にも、スクロール速度を同一にすることができ、情報を適切なスピードで提供することができるという効果を奏する。
【発明を実施するための最良の形態】
【００１５】
以下、本発明の実施の形態を図面に基づいて詳細に説明する。
【００１６】
図１は、本発明に係る液晶表示装置の実施の形態の構成を示すブロック図であり、図２は、図１に示すＬＣＤパネルの構成を示す図であり、図３は、図１に示すＡ／Ｄ変換部において用いられる温度信号と温度コードとの対応表例を示す説明図であり、図４は、図１に示す温度判定部において用いられる温度コードとインターバルおよびスクロールドット数との対応表例を示す説明図である。
【００１７】
本実施の形態の液晶表示装置は、ＬＣＤパネル１と、温度検出部２と、Ａ／Ｄ変換部３と、温度判定部４と、インターバル制御部５と、スクロールドット数制御部６と、データ送信部７と、データ送信部７から転送された表示データをＬＣＤパネル１に表示させる表示ドライバ８とからなる。
【００１８】
ＬＣＤパネル１は、単純マトリクス方式のＳＴＮ液晶や液晶パネルと偏光板の間に色補正を行うための補償フィルムを置いたＦＳＴＮ液晶等で構成され、図２に示すように、１２＊１２ドットで１文字を表し、１行５文字分の表示エリアを有している。また、ＬＣＤパネル１は、温度に応じて反応速度が変化、すなわち、温度が低くなるほど反応速度が低下する特性を有している。
【００１９】
温度検出部２は、ＬＣＤパネル１の周辺温度を検出する熱電対等の温度検出センサであり、ＬＣＤパネル１の周辺温度に応じたアナログ信号である温度信号をＡ／Ｄ変換部３に出力する。
【００２０】
Ａ／Ｄ変換部３は、図３に示す温度信号と温度コードとの対応表例のように、入力された温度信号に応じて変換される温度コードが設定されており、温度検出部２から入力された温度信号を温度コードに変換して温度判定部４に出力する。
【００２１】
温度判定部４は、図４に示す温度コードとインターバルおよびスクロールドット数との対応表例のように、入力された温度コードと、インターバルおよびスクロールドット数とが対応づけられており、Ａ／Ｄ変換部３から入力された温度コードに対応するインターバルをインターバル制御部５に出力すると共に、Ａ／Ｄ変換部３から入力された温度コードに対応するスクロールドット数をスクロールドット数制御部６に出力する。なお、温度コードに対応するインターバルは、ＬＣＤパネル１の特性、すなわち温度が低くなるほど反応速度が低下する特性に基づいて決定されており、温度が低くなるほどインターバルが長くなるように設定されている。また、温度コードに対応するスクロールドット数は、インターバルを長くした場合にも、スクロール速度を平準化できるように決定されており、温度が低くなるほどスクロールドット数が多くなるように設定されている。さらに、温度コードに対応するスクロールドット数は、ＬＣＤパネル１におけるスクロール方向の１文字分のドット数（本実施の形態の場合には、１２ドット）の約数の内のいずれかが設定されている。
【００２２】
インターバル制御部５は、ＬＣＤパネル１においてスクロール表示を行う際の、スクロール表示の切り換えのタイミング、すなわちＬＣＤパネル１への表示データの転送のインターバルを制御する手段であり、温度判定部４から入力されたインターバル毎にタイミング信号をデータ送信部７に出力する。
【００２３】
スクロールドット数制御部６は、ＬＣＤパネル１においてスクロール表示を行う際の、スクロールさせるドット数を制御する手段であり、温度判定部４から入力されたスクロールドット数をシフト数としてデータ送信部７に出力する。
【００２４】
データ送信部７は、表示データがビット展開されている図示しない表示用メモリからＬＣＤパネル１に表示させる表示データを読み出して、読み出した表示データを表示ドライバ８に転送する手段であり、スクロールドット数制御部６から入力されたシフト数分、表示開始位置をシフトさせながら表示用メモリに展開されている表示データを読み出し、インターバル制御部５から入力されるタイミング信号をＬＣＤパネル１への表示データの転送タイミングとして読み出した表示データを表示ドライバ８に転送する。
【００２５】
次に、本実施の形態の動作について図５を参照して詳細に説明する。
図５は、本発明に係る液晶表示装置の実施の形態の動作を説明するためのフローチャートである。
【００２６】
まず、温度検出部２は、ＬＣＤパネル１の周辺温度を検出し、温度信号をＡ／Ｄ変換部３に出力する（ステップＡ１）。なお、温度検出部２は、ＬＣＤパネル１が設けられているリモコン装置に設置するように構成しても良く、ポータブルＭＤやポータブルＣＤ等のポータブル機器に設置し、ポータブル機器の温度をＬＣＤパネル１の周辺温度として検出しても良い。さらに、温度検出部２をポータブル機器に設置する場合には、温度に応じたレーザパワーのコントロール制御等の再生に関する各種制御に用いられている温度検出部と兼用するようにすると良い。
【００２７】
Ａ／Ｄ変換部３は、温度検出部２から入力された温度信号を温度コードに変換して温度判定部４に出力する（ステップＡ２）。
【００２８】
温度判定部４は、Ａ／Ｄ変換部３から入力された温度コードが「Ｔ１」であるか否かを判定し（ステップＡ３）、Ａ／Ｄ変換部３から入力された温度コードが「Ｔ１」である場合には、温度判定部４は、Ａ／Ｄ変換部３から入力された温度コード「Ｔ１」に対応するインターバル「３００ｍＳ」をインターバル制御部５に出力すると共に、Ａ／Ｄ変換部３から入力された温度コード「Ｔ１」に対応するスクロールドット数「３ドット」をスクロールドット数制御部６に出力し（ステップＡ４）、インターバル制御部５の制御によってＬＣＤパネル１のスクロール表示のインターバルを「３００ｍＳ」にすると共に、スクロールドット数制御部６の制御によってスクロールさせるドット数を「３ドット」にする。
【００２９】
Ａ／Ｄ変換部３から入力された温度コードが「Ｔ１」でない場合には、温度判定部４は、Ａ／Ｄ変換部３から入力された温度コードが「Ｔ２」であるか否かを判定する（ステップＡ５）。Ａ／Ｄ変換部３から入力された温度コードが「Ｔ２」である場合には、温度判定部４は、Ａ／Ｄ変換部３から入力された温度コード「Ｔ２」に対応するインターバル「６００ｍＳ」をインターバル制御部５に出力すると共に、Ａ／Ｄ変換部３から入力された温度コード「Ｔ２」に対応するスクロールドット数「３ドット」をスクロールドット数制御部６に出力し（ステップＡ６）、インターバル制御部５の制御によってＬＣＤパネル１のスクロール表示のインターバルを「６００ｍＳ」にすると共に、スクロールドット数制御部６の制御によってスクロールさせるドット数を「３ドット」にする。
【００３０】
Ａ／Ｄ変換部３から入力された温度コードが「Ｔ２」でない場合には、温度判定部４は、Ａ／Ｄ変換部３から入力された温度コードが「Ｔ３」であるか否かを判定する（ステップＡ７）。Ａ／Ｄ変換部３から入力された温度コードが「Ｔ３」である場合には、温度判定部４は、Ａ／Ｄ変換部３から入力された温度コード「Ｔ３」に対応するインターバル「１Ｓ」をインターバル制御部５に出力すると共に、Ａ／Ｄ変換部３から入力された温度コード「Ｔ３」に対応するスクロールドット数「４ドット」をスクロールドット数制御部６に出力し（ステップＡ８）、インターバル制御部５の制御によってＬＣＤパネル１のスクロール表示のインターバルを「１Ｓ」にすると共に、スクロールドット数制御部６の制御によってスクロールさせるドット数を「４ドット」にする。
【００３１】
Ａ／Ｄ変換部３から入力された温度コードが「Ｔ３」でない場合には、温度判定部４は、Ａ／Ｄ変換部３から入力された温度コードが「Ｔ４」であるか否かを判定する（ステップＡ９）。Ａ／Ｄ変換部３から入力された温度コードが「Ｔ４」である場合には、温度判定部４は、Ａ／Ｄ変換部３から入力された温度コード「Ｔ４」に対応するインターバル「２Ｓ」をインターバル制御部５に出力すると共に、Ａ／Ｄ変換部３から入力された温度コード「Ｔ４」に対応するスクロールドット数「６ドット」をスクロールドット数制御部６に出力し（ステップＡ１０）、インターバル制御部５の制御によってＬＣＤパネル１のスクロール表示のインターバルを「２Ｓ」にすると共に、スクロールドット数制御部６の制御によってスクロールさせるドット数を「６ドット」にする。
【００３２】
Ａ／Ｄ変換部３から入力された温度コードが「Ｔ４」でない場合には、Ａ／Ｄ変換部３から入力された温度コードは、「Ｔ５」であるため、温度判定部４は、Ａ／Ｄ変換部３から入力された温度コード「Ｔ５」に対応するインターバル「３Ｓ」をインターバル制御部５に出力すると共に、Ａ／Ｄ変換部３から入力された温度コード「Ｔ５」に対応するスクロールドット数「６ドット」をスクロールドット数制御部６に出力し（ステップＡ１１）、インターバル制御部５の制御によってＬＣＤパネル１のスクロール表示のインターバルを「３Ｓ」にすると共に、スクロールドット数制御部６の制御によってスクロールさせるドット数を「６ドット」にする。
【００３３】
このように、予め定めた温度帯域（Ｔ１〜Ｔ５）毎に設定されたインターバルおよびスクロールドット数によってＬＣＤパネル１におけるスクロール表示が制御され、温度が変化して属する温度帯域が変更されるとインターバルおよびスクロールドット数も変更されるように構成されている。
【００３４】
以上説明したように、本実施の形態によれば、検出された温度に基づいて、表示ドライバ８への表示データの転送のインターバルとスクロールドット数を変更するように構成することにより、ＬＣＤパネル１の周囲温度が低温になり、ＬＣＤパネル１への表示データの転送タイミングを遅らせた場合にも、スクロール速度を平準化することができ、情報を適切なスピードで提供することができるという効果を奏する。
【００３５】
さらに、本実施の形態によれば、検出された温度に基づいて、表示ドライバ８への表示データの転送のインターバルとスクロールドット数とを、同じタイミングで且つ同じ倍率でそれぞれ変更するように構成することにより、ＬＣＤパネル１の周囲温度が低温になり、ＬＣＤパネル１への表示データの転送タイミングを遅らせた場合にも、スクロール速度を同一にすることができ、情報を適切なスピードで提供することができるという効果を奏する。
【００３６】
なお、本実施の形態では、ＬＣＤパネル１の反応速度が変化に対応するようにインターバルを設定し、その後にスクロールドット数を設定するように構成したため、温度検出部２によって検出される温度によっては、スクロール速度が若干異なっているが、いずれの温度でもスクロール速度が常に一定になるように設定することもできる。
【００３７】
いずれの温度でもスクロール速度が常に一定になるようするためには、例えば、温度帯域を温度コード「Ｔａ、Ｔｂ、Ｔｃ」に分け、温度コード「Ｔａ」に対応してインターバル「３００ｍＳ」およびスクロールドット数「３ドット」を、温度コード「Ｔｂ」に対応してインターバル「４００ｍＳ」およびスクロールドット数「４ドット」を、温度コード「Ｔｃ」に対応してインターバル「６００ｍＳ」およびスクロールドット数「６ドット」をそれぞれ設定すると良く、インターバルとスクロールドット数とが同じ倍率で変化するように設定すると良い。
【００３８】
なお、本発明が上記各実施の形態に限定されず、本発明の技術思想の範囲内において、各実施の形態は適宜変更され得ることは明らかである。また、上記構成部材の数、位置、形状等は上記実施の形態に限定されず、本発明を実施する上で好適な数、位置、形状等にすることができる。なお、各図において、同一構成要素には同一符号を付している。
【図面の簡単な説明】
【００３９】
【図１】本発明に係る液晶表示装置の実施の形態の構成を示すブロック図である。
【図２】図１に示すＬＣＤパネルの構成を示す図である。
【図３】図１に示すＡ／Ｄ変換部において用いられる温度信号と温度コードとの対応表例を示す説明図である。
【図４】図１に示す温度判定部において用いられる温度コードとインターバルおよびスクロールドット数との対応表例を示す説明図である。
【図５】本発明に係る液晶表示装置の実施の形態の動作を説明するためのフローチャートである。
【符号の説明】
【００４０】
１  ＬＣＤパネル
２  温度検出部（温度検出手段）
３  Ａ／Ｄ変換部
４  温度判定部
５  インターバル制御部（インターバル変更手段）
６  スクロールドット数制御部（スクロールドット数変更手段）
７  データ送信部
８  表示ドライバ
【図１】
2006047472.tif 000003
【図２】
2006047472.tif 000004
【図３】
2006047472.tif 000005
【図４】
2006047472.tif 000006
【図５】
2006047472.tif 000007